(57)【要約】【課題】除湿装置を床に置いても排水量の確認が容易にすることができることを目的とする。【解決手段】空気を除湿する除湿手段３と、前記除湿手段３が除湿した後の空気を排出し送風量を調整する送風手段４と、前記除湿手段３により発生した水を貯水する排水口６を有した排水容器７と、温度を検知する温度検知手段８と、湿度を検知する湿度検知手段９と、温度と湿度と前記送風手段４からの送風量から除湿された排水量を算出する排水量算出手段と、前記排水量を表示する表示手段１２とを備えたという構成にしたことにより、排水量算出手段で温度と湿度と送風量から除湿される水量を算出し表示手段１２に排水量を表示することで除湿装置１を床に置いても排水量の確認が容易にすることができる除湿装置１を得られる。【選択図】図１
2018103149.tif 000002
【特許請求の範囲】
【請求項１】
空気を除湿する除湿手段と、
前記除湿手段が除湿した後の空気を排出し送風量を調整する送風手段と、
前記除湿手段により発生した水を貯水する排水口を有した排水容器と、
温度を検知する温度検知手段と、
湿度を検知する湿度検知手段と、
前記温度検知手段により検出した温度情報と前記湿度検知手段により検出した湿度情報と前記送風手段で調整した送風量情報とから除湿された排水量を算出する排水量算出手段と、
前記排水量を表示する表示手段と、
を備えたことを特徴とする除湿装置。
【請求項２】
前記表示手段は排水量を水位に換算して表示する、
ことを特徴とする請求項１に記載の除湿装置。
【請求項３】
前記除湿装置に記憶手段を備え、
電力を遮断した時に現在の排水量を前記記憶手段に書き込んで記憶させ、
電力を供給した時に前記記憶手段から記憶された前記排水量を読み込んで前記排水量算出手段に用いる、
ことを特徴とする請求項１に記載の除湿装置。
【発明の詳細な説明】
【技術分野】
【０００１】
本発明は、室内で使用される除湿装置に関するものである。
【背景技術】
【０００２】
従来、この種の除湿装置は、排水容器に水位窓を備えたものが知られている（例えば、特許文献１参照）。
【０００３】
以下、その除湿装置について図５を参照しながら説明する。
【０００４】
図５に示すように、除湿装置７０１は、吸込口７０２と、圧縮機７０３と、冷却器７０４と、放熱器７０５と、排水容器７０６と、送風機７０７と、圧縮機７０３及び送風機７０７を駆動制御する制御手段７０８とから構成される。
【０００５】
吸込口７０２から吸い込んだ湿気を含んだ空気は、圧縮機７０３で圧縮し液化した冷媒を冷却器７０４内部で膨張させ気化することにより冷却される。この冷却により冷却器７０４表面で結露し、水滴となって排水容器７０６に溜まる。排水容器７０６に溜まった水滴が除湿された水分である。
【０００６】
冷却器７０４を通って除湿および冷却された空気は、冷媒との間で熱交換を行う放熱器７０５により空気を加熱する。この加熱により、吸込口７０２から吸い込んだ温度とほぼ同じ温度に暖められ、除湿された空気として送風機７０７により室内に送風される。
【０００７】
制御手段７０８は、圧縮機７０３を運転／停止、送風機７０７を運転／停止により、湿度および送風を制御している。
【０００８】
排水容器７０６は、半透明または透明に処理された水位窓７０９が設けられ、排水容器７０６に貯水された水滴が、水位として使用者の目視により確認できるようになっている。
【先行技術文献】
【特許文献】
【０００９】
【特許文献１】特許第４５８４８５０号公報
【発明の概要】
【発明が解決しようとする課題】
【００１０】
このような従来の除湿装置においては、排水容器の貯水量を確認するとき水位窓が排水容器の下方にあるため通常使用されるように除湿機である除湿装置を床に置いた場合水位窓が下方にあるので排水量を確認しづらい、という課題を有していた。
【００１１】
そこで本発明は、上記従来の課題を解決するものであり、除湿装置を床に置いても排水量の確認が容易にすることができる除湿装置を提供することを目的とする。
【課題を解決するための手段】
【００１２】
そして、この目的を達成するために、本発明に係る除湿装置は、
空気を除湿する除湿手段と、
前記除湿手段が除湿した後の空気を排出し送風量を調整する送風手段と、
前記除湿手段により発生した水を貯水する排水口を有した排水容器と、
温度を検知する温度検知手段と、
湿度を検知する湿度検知手段と、
前記温度検知手段により検出した温度情報と前記湿度検知手段により検出した湿度情報と前記送風手段で調整した送風量情報とから除湿された排水量を算出する排水量算出手段と、
前記排水量を表示する表示手段と、
を備えたものであり、これにより所期の目的を達成するものである。
【発明の効果】
【００１３】
本発明によれば、
空気を除湿する除湿手段と、
前記除湿手段が除湿した後の空気を排出し送風量を調整する送風手段と、
前記除湿手段により発生した水を貯水する排水口を有した排水容器と、
温度を検知する温度検知手段と、
湿度を検知する湿度検知手段と、
前記温度検知手段により検出した温度情報と前記湿度検知手段により検出した湿度情報と前記送風手段で調整した送風量情報とから除湿された排水量を算出する排水量算出手段と、
前記排水量を表示する表示手段と、
を備えた、という構成にしたことにより、
排水量算出手段で温度と湿度と送風量から除湿される水量を算出して表示手段に排水量を表示することとなるので、除湿装置を床に置いても排水量の確認が容易にすることができる、という効果を得ることができる。
【図面の簡単な説明】
【００１４】
【図１】本発明の実施の形態１の除湿装置の構成図
【図２】同除湿装置の機能ブロック図
【図３】排水量算出手段で行われる処理のデータテーブル例を示す図
【図４】本発明の実施の形態１の処理フローチャート
【図５】従来の除湿装置の構成図
【発明を実施するための形態】
【００１５】
本発明に係る除湿装置は、
空気を除湿する除湿手段と、
前記除湿手段が除湿した後の空気を排出し送風量を調整する送風手段と、
前記除湿手段により発生した水を貯水する排水口を有した排水容器と、
温度を検知する温度検知手段と、
湿度を検知する湿度検知手段と、
前記温度検知手段により検出した温度情報と前記湿度検知手段により検出した湿度情報と前記送風手段で調整した送風量情報とから除湿された排水量を算出する排水量算出手段と、
前記排水量を表示する表示手段とを備えた、
という構成を有する。これにより、排水量算出手段で温度と湿度と送風量から除湿される水量を算出し、表示手段に排水量を表示することとなるので、除湿装置を床に置いても排水量の確認が容易にすることができるという効果を奏する。
【００１６】
また、
前記表示手段は排水量を水位に換算して表示する、
という構成にしてもよい。これにより、表示手段に排水容器に貯水される排水量を水位に換算して表示させることとなるので、一目で排水量を確認することができるという効果を奏する。
【００１７】
また、
前記除湿装置に記憶手段を備え、
電力を遮断した時に現在の排水量を前記記憶手段に書き込んで記憶させ、
電力を供給した時に前記記憶手段から記憶された前記排水量を読み込んで前記排水量算出手段に用いる、
という構成にしてもよい。これにより、電力が遮断した時に現在の排水量を記憶手段に記憶させて、電力を入力したときは記憶手段から記憶された排水量を読み込んで、排水量算出手段に用いることとなるので、電力を遮断されても正しく排水量を把握することができるという効果を奏する。
【００１８】
以下、本発明の実施の形態について図面を参照しながら説明する。
【００１９】
（実施の形態１）
図１は、本発明に係る除湿装置の概略構成図である。
【００２０】
図１に示すように、除湿装置１は、吸込口２と、除湿手段３と、送風手段４としての送風機と、送風口５と、排水口６と、排水容器７と、温度検知手段８と、湿度検知手段９と、ルーバー１０と、操作部１１と、表示手段１２と、制御手段１３とを備えている。
【００２１】
また、除湿装置１は、除湿を行う除湿経路１４と、除湿手段３の除湿能力を再生する再生経路１５を備えている。
【００２２】
吸込口２は、室内の湿った空気を除湿装置１内に取り込むための開口である。
【００２３】
除湿手段３は、除湿ロータ１６と、再生ファン１７と、再生ヒータ１８と、熱交換器１９とを備えている。
【００２４】
除湿ロータ１６は、ゼオライトなどの吸湿物質を回転し、吸込口２から取り込んだ空気を吸湿する。吸湿により除湿された空気は、実線の矢印で示した除湿経路１４を介し、送風手段４によって、送風口５から排出される。
【００２５】
再生ファン１７は、白抜きの矢印で示した再生経路１５を循環送風する。
【００２６】
再生ヒータ１８は、除湿ロータ１６における吸湿した領域を加熱する。除湿ロータ１６にて吸湿された水分は加熱されることにより蒸発し、再生経路１５内の空気中に取り込まれる。つまり、水分を放出することにより、除湿ロータ１６は除湿能力を再生する。再生経路１５内の空気に吸湿された水分は、熱交換器１９にて冷却され、水蒸気となって放出される。
【００２７】
熱交換器１９は、再生経路１５内の水蒸気を含んだ空気を、再生ファン１７により通過させて冷却し、飽和水蒸気量を超えた水分を結露させて水滴として抽出する。
【００２８】
排水口６は、熱交換器１９の下部に設けられ、熱交換器１９で結露した水滴を集める。
【００２９】
排水容器７は、排水口６を通して結露した水滴を貯水する。
【００３０】
温度検知手段８は、室内すなわち除湿装置１の外部の温度を検知する。
【００３１】
湿度検知手段９は、室内すなわち除湿装置１の外部の湿度を検知する。
【００３２】
ルーバー１０は、送風口５から送風される除湿された空気の風向を変更する。
【００３３】
操作部１１は、除湿装置１の天面に設けられ、除湿装置１の運転の「切り」、「入り」や、運転モード、運転時間、風向などの設定を使用者が行うためのスイッチである。
【００３４】
表示手段１２は、ＬＥＤ、ＬＣＤなどの表示で使用者に除湿装置１の状態、設定、異常などを表示する。なお、表示手段として、音などによる報知も含まれるものとする。
【００３５】
制御手段１３は、マイクロコンピュータなどを利用した制御基板で構成されている。
【００３６】
図２は、本除湿装置の機能ブロック図である。
【００３７】
図２に示すように、制御手段１３は、温度検知手段８、湿度検知手段９、ルーバー１０、操作部１１、表示手段１２、除湿手段３、送風手段４などの各デバイスと接続されている。
【００３８】
制御手段１３は、操作部１１からの操作情報、温度検知手段８、湿度検知手段９からの各種入力情報に基づいて、除湿手段３、送風手段４、ルーバー１０、表示手段１２などを制御すべく駆動信号を出力する。
【００３９】
つまり制御手段１３が、各種入力情報（操作部１１からの操作情報、温度検知手段８からの温度情報、湿度検知手段９からの湿度情報）に基づき、制御手段１３内に設けられている記憶手段であるメモリ（図示しない）内に予め記憶されているプログラムに従って各種デバイスにＯＮ／ＯＦＦ指示などを行うことにより、各モードに応じた動作を実行する。なお、制御手段１３内に設けられているメモリは、ＳＲＡＭ（Ｓｔａｔｉｃ  Ｒａｎｄｏｍ  Ａｃｃｅｓｓ  Ｍｅｍｏｒｙ）やＦｅＲＡＭ（Ｆｅｒｒｏｅｌｅｃｔｒｉｃ  Ｒａｎｄｏｍ  Ａｃｃｅｓｓ  Ｍｅｍｏｒｙ）など、不揮発性のメモリであり、読み書き可能なものが望ましい。
【００４０】
また、制御手段１３は、排水量算出手段２０を備えている。
【００４１】
排水量算出手段２０は、制御手段１３内に設けられている記憶手段であるメモリに予め記憶されているプログラムであり、温度検知手段８から検知した温度情報、湿度検知手段９から検知した湿度情報、送風手段４の送風量の情報から、排水量（除湿により排水される水量）を算出し、算出された排水量を表示手段１２に表示する。なお、排水量算出手段２０で算出された排水量は、適宜、制御手段１３内に設けられているメモリに記憶するものとする。
【００４２】
排水量算出手段２０の処理について図３を参照しながら説明する。
【００４３】
次に、図３に示すように、送風量、温度及び湿度による排水量算出用のデータテーブル例であり、制御手段１３内のメモリに予め記憶されているものとする。
【００４４】
なお、データテーブル例は各条件下５分間の排水量を示す。
【００４５】
つまり、５分間運転動作を行なった場合、室内温度が１０℃未満の場合送風量が２ｍ３／ｈでは、室内湿度が３０％ＲＨ未満の時は排水量が１０ｍｌであり、室内湿度が７０％ＲＨ以上の時は排水量が２２ｍｌであることがわかる。また、室内温度が１０℃未満での場合送風量が４ｍ３／ｈで、室内湿度が３０％ＲＨ未満の時は排水量が１６ｍｌであり、室内湿度が７０％ＲＨ以上の時は排水量が３５ｍｌであることがわかる。同様に、室内温度が３０℃以上の場合は温度送風量が２ｍ３／ｈで、室内湿度が３０％ＲＨ未満の時は排水量が１２ｍｌであり、室内湿度が７０％ＲＨ以上の時は排水量が２５ｍｌであることがわかる。また、室内温度が３０℃以上の場合は温風量が４ｍ３／ｈで室内湿度が３０％ＲＨ未満の時は排水量が１９ｍｌであり、室内湿度が７０％ＲＨ以上の時は排水量が４１ｍｌであることがわかる。
【００４６】
この図３に示すデータテーブルによると、室内温度及び、室内湿度が高く、送風量が大きいほど排水量が大きくなるようなデータとなっている。
【００４７】
運転動作中に、このデータを累積加算していくことにより排水量が算出される。なお、このデータは各室内温度、室内湿度、送風量の条件下での測定実験により求まるものである。
【００４８】
制御手段１３により算出された排水量は、除湿装置１の天面に配置された表示手段１２に表示される。
【００４９】
なお、表示手段１２に表示される排水量は、直接の排水量を積算して表示しても良いが、使用者により分かりやすくするために、直接の排水量ではなく、使用者が結露した水である排水容器７内の水を排水する／しないの判断ができればよく、排水容器７の「１／８」や「１／４」程度の精度で表示するようにしてもよい。
【００５０】
従って本実施の形態では、ある一定時間（５分間）の排水量データテーブルを参照して排水量を累積加算していく方法や、予め排水容器７の容積を制御手段１３内に設けられているメモリに記憶しておき、排水容器７の容積と積算した排水量とを比較して、排水容器７の「１／８」や「１／４」程度といった水位に換算した形式で表示する方法で、使用者に対して表示する。
【００５１】
なお、排水容器７の容積と積算した排水量とを比較して、排水容器７の「１／８」や「１／４」程度といった形式で表示すると、表示手段１２において、排水容器７に現在貯水される排水量を水位に換算して表示されることとなるので、使用者は一目で水位を確認することができる。
【００５２】
次に、本実施の形態の除湿装置１の動作を、図４のフローチャートに基づき説明する。なお、本ブローチャートは、本発明に係る基本的な動作を示すものであり、機種固有の特殊な機能等については説明しない。  まず、制御手段１３は、操作部１１から、電源ＯＮの操作を検出すると、次に示すフローチャートに基づき動作を行なう。なお、電源ＯＦＦ状態から、電顕ＯＮ状態を検知する場合には、別途電源ＯＮを監視するプログラムが動作されているものとし、本実施の形態では、特に説明しない。
【００５３】
電源ＯＮになると、Ｓ０１に進み、操作部１１から「除湿運転」もしくは「送風運転」が入力されたか判断する。操作部１１から入力がなければＳ０１で待機する。
【００５４】
Ｓ０１において、操作部１１から入力されると、Ｓ０２において、「除湿運転」が選択されたか否かを判断する。「除湿運転」が選択されたと判断した場合、Ｓ０３に進む。また、「除湿運転」が選択されていないと判断した場合、Ｓ２０に進む。
【００５５】
Ｓ２０において、「送風運転」が選択されたか否かを判断し、「送風運転」が選択されたと判断した場合には、Ｓ２１にて送風運転動作を行なう。なお、送風運転動作については、本発明の特徴とするものではないため、詳細な説明は省くものとし、使用者が、送風運転を中止または除湿運転を選択するまで動作するものとする。
【００５６】
除湿運転が使用者から選択されると、Ｓ０３において、制御手段１３内のメモリに記憶している前回運転時の排水量（除湿量）（ｉ）を読み出し、Ｓ０４に進む。なお、メモリ内に前回運転時の排水量（ｉ）が記憶されていなかった場合は、（ｉ）はゼロとする。
【００５７】
Ｓ０４において、除湿運転の動作モードを選択する。使用者が操作部１１より動作モードを選択した場合には、その選択した動作モードを設定し、Ｓ０５に進む。なお、使用者が操作部１１より動作モードの指示がなければ、デフォルトの「中モード」（送風量３ｍ３／ｈ）を選択するものとする。
【００５８】
Ｓ０５において、Ｓ０４にて選択された動作モードで除湿運転を開始する。なお、運転を開始した際に、制御手段１３に内蔵するタイマー（図示しない）機能により時間の計数を開始する。
【００５９】
Ｓ０６において、Ｓ０５にて開始した時間が５分を経過したか判断し、Ｓ０５にて開始した時間が５分を経過したと判断した場合、Ｓ０７に進む。また、経過していないと判断した場合、再度Ｓ０６で判断を行なう。なお、本実施の形態では５分としているが、それ以外の時間、例えば１分の場合であってもよく、その場合は、１分に対応したデータテーブルを保持しておくものとする。
【００６０】
Ｓ０７において、制御手段１３は、温度検知手段８から室内温度情報を検知し、湿度検知手段９から室内湿度情報を検知する。この検知した室内温度情報、検知した室内湿度情報、及びＳ０４にて選択された動作モード情報（送風量の情報）に基づき、制御手段１３内のメモリに予め記憶してある図３に示すデータテーブルに従って、排水量を算出し、現在の排水量（ｉ）に加算（積算）したあと、制御手段１３内のメモリに加算した排水量（ｉ）の情報を記憶し、Ｓ０８に進む。
【００６１】
Ｓ０８において、表示手段１２にＳ０７にて加算した排水量（ｉ）を示す情報を表示する。表示手段１２への表示は、加算した排水量をそのまま数値とし表示してもよい。また、予め排水容器７の容積を制御手段１３内に設けられているメモリに記憶しておき、排水容器７の容積と加算（積算）した排水量とを比較して、排水容器７の「１／８」や「１／４」程度といった水位に換算した形式で表示する方法で、使用者に対して表示する。例えば、排水容器７の容積が２リットルであり、加算した排水量が５００ｍｌであった場合、排水量が排水容器７の「１／４」や「２５％」である旨を表示させてもよい。
【００６２】
なお、本実施の形態では、制御手段１３内のメモリに記憶している排水量（ｉ）を読み出しているが、本除湿装置の電源ＯＦＦ中や送風運転中に、使用者が、排水容器７内の排水を捨てた場合、排水容器７内の排水量と制御手段１３内のメモリに記憶している排水量（ｉ）とが一致しなくなる。この場合には、例えば、排水容器７近傍にリセットスイッチ等を設け、排水容器７を本体から外した際にリセットがかかり、制御手段１３内のメモリに記憶している排水量（ｉ）の情報がゼロになるようにしても良く、特に方法に限定はなく、排水容器７内の排水を捨てた場合には、制御手段１３内のメモリに記憶している排水量（ｉ）もゼロにするような仕組みを設けるものとする。
【００６３】
Ｓ０９において、使用者が、除湿運転を中止または送風運転を選択するまでＳ０３に戻り、除湿運転を継続するものとする。
【００６４】
また、本フローチャートに係わらず、運転途中に使用者による操作部から入力があった場合は、Ｓ０２に移行し、入力指示を判断する。なお、前述したが運転途中の使用者による操作部から入力が、機種固有の特殊な機能を示すものであった場合は、別のプログラムが起動するものとし、そのプログラムに基づき制御されるものとする。
【００６５】
なお、本実施の形態では、電源が供給されている状態で、操作部１１から電源ＯＮ／ＯＦＦした状態の説明を行なったが、除湿装置１本体は、電源プラグ（図示せず）を介して一般供給電源であるコンセント（図示せず）から電源を供給しており、この電源プラグをコンセントから引き抜いて電源供給が遮断された場合にも、前述のＳ０７と同様に、現在の排水量（ｉ）の情報を制御手段１３内のメモリに記憶するようにしてもよい。その場合、電源プラグを抜くと電源供給が遮断されるが、実際には、除湿装置１内の電源回路（図示せず）にコンデンサ（図示せず）が備えられており、１秒程度であれば電源が維持された状態を保つことができる。制御手段１３は、電源プラグを抜いた場合などの電源供給が遮断されてことを検知すると、瞬時に前述のＳ０７と同様に、現在の排水量（ｉ）の情報を制御手段１３内のメモリに記憶するものとする。  また、除湿装置１の電源プラグをコンセントに接続した後に、制御手段１３は、電源供給が開始したと認識し、前述のＳ０３と同様に、制御手段１３内のメモリに記憶している前回運転時の排水量（除湿量）（ｉ）を読み出すようにしてもよい。
【００６６】
れにより、電源供給が遮断した時に現在の排水量（ｉ）をメモリに記憶させて、電源供給が開始したときはメモリに記憶された排水量（ｉ）を読み込んで、排水量算出手段２０に用いることとで、電源供給が遮断されても正しく排水量を把握することができるという効果を奏する。
【産業上の利用可能性】
【００６７】
本発明に係る除湿装置は、除湿装置を床に置いても排水量の確認が容易にすることができるものであるので、狭い空間や薄暗い場所等に対して有用である。
【符号の説明】
【００６８】
１    除湿装置
２    吸込口
３    除湿手段
４    送風手段
５    送風口
６    排水口
７    排水容器
８    温度検知手段
９    湿度検知手段
１０    ルーバー
１１    操作部
１２    表示手段
１３    制御手段
１４    除湿経路
１５    再生経路
１６    除湿ロータ
１７    再生ファン
１８    再生ヒータ
１９    熱交換器
２０    排水量算出手段
【図１】
2018103149.tif 000003
【図２】
2018103149.tif 000004
【図３】
2018103149.tif 000005
【図４】
2018103149.tif 000006
【図５】
2018103149.tif 000007